(57)【要約】【課題】  プリント注文の受付に要する時間を短縮する。【解決手段】  メディアドライブによって読み出された複数の画像データファイルの中から、連続撮影された一群の画像が判別され、画像群毎に１つの代表画像が決定される。そして、連続撮影された一群の画像に関しては、１つの代表画像だけが表示される「プリント枚数設定画面」がディスプレイに表示される。【選択図】図１６
2006301342.tif 000002
【特許請求の範囲】
【請求項１】
写真プリントの注文を受け付けるプリント注文受付装置において、
記録媒体に記録された複数の画像データファイルを読み出すための読み出し部と、
前記読み出し部によって読み出された画像データファイルに係る画像の撮影日時に関するパラメータを前記記録媒体又は画像データファイルから取得するパラメータ取得手段と、
前記読み出し部によって読み出された画像データファイルに係る画像のうち、所定時間内の撮影日時を有する画像を連続撮影された一群の画像と判別する判別手段と、
前記判別手段によって連続撮影された一群の画像と判別された画像群に含まれる画像に関しては画像群中の代表画像だけが表示される注文画面をディスプレイに表示させる注文画面表示制御手段とを備えていることを特徴とするプリント注文受付装置。
【請求項２】
写真プリントの注文を受け付けるプリント注文受付装置において、
記録媒体に記録された複数の画像データファイルを読み出すための読み出し部と、
前記読み出し部によって読み出された画像データファイルに係る画像の撮影日時に関するパラメータを前記記録媒体又は画像データファイルから取得するパラメータ取得手段と、
前記読み出し部によって読み出された画像データファイルに係る画像のうち、所定時間内の撮影日時を有する画像を連続撮影された一群の画像と判別する判別手段と、
前記判別手段によって連続撮影された一群の画像と判別された画像群に含まれる画像が同じ領域内に順次表示される注文画面をディスプレイに表示させる注文画面表示制御手段とを備えていることを特徴とするプリント注文受付装置。
【請求項３】
前記注文画面表示制御手段は、連続撮影された一群の画像毎の画像数をディスプレイに表示させることを特徴とする請求項１または２に記載のプリント注文受付装置。
【請求項４】
写真プリントの注文を受け付けるプリント注文受付装置において、
記録媒体に記録された複数の画像データファイルを読み出すための読み出し部と、
前記読み出し部によって読み出された複数の画像データファイルに対して画像認識処理を行う画像認識手段と、
前記読み出し部によって読み出された複数の画像データファイルに係る画像が互いに類似しているか否かを判別する判別手段と、
前記判別手段によって互いに類似した一群の画像と判別された画像群に含まれる画像に関しては画像群中の代表画像だけが表示される注文画面をディスプレイに表示させる注文画面表示制御手段とを備えていることを特徴とするプリント注文受付装置。
【請求項５】
写真プリントの注文を受け付けるプリント注文受付装置において、
記録媒体に記録された複数の画像データファイルを読み出すための読み出し部と、
前記読み出し部によって読み出された複数の前記画像データファイルに対して画像認識処理を行う画像認識手段と、
前記読み出し部によって読み出された複数の画像データファイルに係る画像が互いに類似しているか否かを判別する判別手段と、
前記判別手段によって互いに類似した一群の画像と判別された複数の画像が同じ領域内に順次表示される注文画面をディスプレイに表示させる注文画面表示制御手段とを備えていることを特徴とするプリント注文受付装置。
【請求項６】
前記画像認識手段によって行われた画像認識処理の結果を用いて、前記読み出し部によって読み出された画像データファイルに係る画像間の類似度を示す評価データを計算する評価データ計算手段をさらに備えており、
前記判別手段は、前記読み出し部によって読み出された画像データファイルに係る画像のうち、前記評価データ計算手段によって計算された評価データが閾値以上である画像を互いに類似した一群の画像と判別することを特徴とする請求項４または５に記載のプリント注文受付装置。
【請求項７】
前記注文画面表示制御手段は、互いに類似した一群の画像毎の画像数をディスプレイに表示させることを特徴とする請求項４〜６のいずれか１項に記載のプリント注文受付装置。
【発明の詳細な説明】
【技術分野】
【０００１】
本発明は、顧客から写真プリントの注文を受け付けるプリント注文受付装置に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、複数のデジタル画像受付装置と写真プリント装置とを備えたデジタル画像処理システムが設置されることが一般的になってきている（例えば、特許文献１参照）。このシステムでは、顧客によってデジタルカメラで撮影された画像データが保存されたメディアがセットされ、プリント枚数などの種々の指定を含むプリント注文が行われると、その注文に対応したプリント処理が写真処理装置で行われる。そして、写真店では、完成した写真プリントが顧客に手渡されると共に、プリント代金の精算が行われる。
【０００３】
ここで、顧客は、受付装置のタッチパネル方式のディスプレイに表示された注文画面を見ながら、各画像のプリント枚数などの指定を行う。そして、多数の画像データがメディアに保存されている場合には、それらを一度に注文画面に表示することができないので、所定数（例えば８コマ）の画像毎に表示されることが多い。従って、顧客は、所定数の画像の各プリント枚数を指定を行い、その指定が終了する度に、次の所定数の画像が表示される画面に切り換えて、これらの画像の各プリント枚数の指定を行う。
【特許文献１】特開２００３−７５９３０号公報（図１）
【発明の開示】
【発明が解決しようとする課題】
【０００４】
ここで、１つの写真店には数台の受付装置が設置されていることが多いが、この写真店に多くの顧客がプリント注文を行うために訪れた場合には、これらの顧客は同時に受付装置を利用することができないので、顧客は自分の順番が来るのを待つ必要がある。このとき、受付装置を利用する顧客は、上述したように、ディスプレイに表示された注文画面を見ながら注文を行うが、多数の画像に関する注文が行われる場合には、１人の顧客が注文が完了するまでに長時間を要する場合がある。特に、メディアから読み出された画像が非常に多い場合には、顧客が注文を希望する画像を見つけ出すのに時間がかかってしまう。このような場合には、顧客は自分の順番が来るまで長時間待たなければならなくなる。特に、受付装置を利用している顧客の注文に要する時間は、待っている顧客からは全く分からないので、受付装置が空くのを待つ顧客は非常に大きなストレスを感じることになる。
【０００５】
そこで、本発明の主な目的は、プリント注文の受付に要する時間を短縮することができるプリント注文受付装置を提供することである。
【課題を解決するための手段および発明の効果】
【０００６】
本発明のプリント注文受付装置は、写真プリントの注文を受け付けるプリント注文受付装置において、記録媒体に記録された複数の画像データファイルを読み出すための読み出し部と、前記読み出し部によって読み出された画像データファイルに係る画像の撮影日時に関するパラメータを前記記録媒体又は画像データファイルから取得するパラメータ取得手段と、前記読み出し部によって読み出された画像データファイルに係る画像のうち、所定時間内の撮影日時を有する画像を連続撮影された一群の画像と判別する判別手段と、前記判別手段によって連続撮影された一群の画像と判別された画像群に含まれる画像に関しては画像群中の代表画像だけが表示される注文画面をディスプレイに表示させる注文画面表示制御手段とを備えている。
【０００７】
この構成によると、記録媒体から読み出された複数の画像データファイルの中から、記録媒体又は画像データファイルから取得された画像の撮影日時に関するパラメータに基づいて、連続撮影された一群の画像が判別され、その画像群に含まれる画像に関しては代表画像だけが表示される注文画面がディスプレイに表示される。ここで、連続撮影された一群の画像は、それらの内容を１つずつ確認しなくても、代表画像の内容だけを確認すれば、その画像群に含まれる複数の画像の内容をある程度把握できることが多い。そのため、顧客は、代表画像の内容だけを確認することによって、その画像群に含まれる複数の画像に対する注文情報の入力を一括で行うことができる。従って、顧客は、連続撮影された一群の画像に対する注文情報の入力を短時間で行うことができる。そのため、プリント注文の受付に要する時間を短縮することができ、一人の顧客が受付装置を占有する時間が短くなる。また、受付装置の時間効率を向上させることができる。
【０００８】
本発明のプリント注文受付装置は、写真プリントの注文を受け付けるプリント注文受付装置において、記録媒体に記録された複数の画像データファイルを読み出すための読み出し部と、前記読み出し部によって読み出された画像データファイルに係る画像の撮影日時に関するパラメータを前記記録媒体又は画像データファイルから取得するパラメータ取得手段と、前記読み出し部によって読み出された画像データファイルに係る画像のうち、所定時間内の撮影日時を有する画像を連続撮影された一群の画像と判別する判別手段と、前記判別手段によって連続撮影された一群の画像と判別された画像群に含まれる画像が同じ領域内に順次表示される注文画面をディスプレイに表示させる注文画面表示制御手段とを備えている。
【０００９】
この構成によると、記録媒体から読み出された複数の画像データファイルの中から、記録媒体又は画像データファイルから取得された画像の撮影日時に関するパラメータに基づいて、連続撮影された一群の画像が判別され、その画像群に含まれる画像が同じ領域内に順次表示される注文画面がディスプレイに表示される。ここで、連続撮影された一群の画像は、それらの内容を１つずつ十分に確認しなくても、順次表示される画像の内容を確認すれば、その画像群に含まれる複数の画像の内容をある程度把握できることが多い。そのため、顧客は、順次表示される画像の内容を確認することによって、その画像群に含まれる複数の画像に対する注文情報の入力を一括で行うことができる。従って、顧客は、連続撮影された一群の画像に対する注文情報の入力を短時間で行うことができる。そのため、プリント注文の受付に要する時間を短縮することができ、一人の顧客が受付装置を占有する時間が短くなる。また、受付装置の時間効率を向上させることができる。
【００１０】
本発明のプリント注文受付装置において、前記注文画面表示制御手段は、連続撮影された一群の画像毎の画像数をディスプレイに表示させてもよい。
【００１１】
この構成によると、連続撮影された一群の画像数がディスプレイに表示されるので、各画像群に含まれる画像数を容易に確認することができる。
【００１２】
本発明のプリント注文受付装置は、写真プリントの注文を受け付けるプリント注文受付装置において、記録媒体に記録された複数の画像データファイルを読み出すための読み出し部と、前記読み出し部によって読み出された複数の画像データファイルに対して画像認識処理を行う画像認識手段と、前記読み出し部によって読み出された複数の画像データファイルに係る画像が互いに類似しているか否かを判別する判別手段と、前記判別手段によって互いに類似した一群の画像と判別された画像群に含まれる画像に関しては画像群中の代表画像だけが表示される注文画面をディスプレイに表示させる注文画面表示制御手段とを備えている。
【００１３】
この構成によると、記録媒体から読み出された複数の画像データファイルの中から、画像データファイルに対する画像認識処理の結果を用いて計算される画像間の類似度を示す評価データに基づいて、互いに類似した一群の画像が判別され、その画像群に含まれる画像に関しては代表画像だけが表示される注文画面がディスプレイに表示される。ここで、互いに類似した一群の画像は、それらの内容を１つずつ確認しなくても、代表画像の内容だけを確認すれば、その画像群に含まれる複数の画像の内容をある程度把握できることが多い。そのため、顧客は、代表画像の内容だけを確認することによって、その画像群に含まれる複数の画像に対する注文情報の入力を一括で行うことができる。従って、顧客は、互いに類似した一群の画像に対する注文情報の入力を短時間で行うことができる。そのため、プリント注文の受付に要する時間を短縮することができ、一人の顧客が受付装置を占有する時間が短くなる。また、受付装置の時間効率を向上させることができる。
【００１４】
本発明のプリント注文受付装置は、写真プリントの注文を受け付けるプリント注文受付装置において、記録媒体に記録された複数の画像データファイルを読み出すための読み出し部と、前記読み出し部によって読み出された複数の前記画像データファイルに対して画像認識処理を行う画像認識手段と、前記読み出し部によって読み出された複数の画像データファイルに係る画像が互いに類似しているか否かを判別する判別手段と、前記判別手段によって互いに類似した一群の画像と判別された複数の画像が同じ領域内に順次表示される注文画面をディスプレイに表示させる注文画面表示制御手段とを備えている。
【００１５】
この構成によると、記録媒体から読み出された複数の画像データファイルの中から、画像データファイルに対する画像認識処理の結果を用いて計算される画像間の類似度を示す評価データに基づいて、互いに類似した一群の画像が判別され、その画像群に含まれる画像が同じ領域内に順次表示される注文画面がディスプレイに表示される。ここで、互いに類似した一群の画像は、それらの内容を１つずつ十分に確認しなくても、順次表示される画像の内容を確認すれば、その画像群に含まれる複数の画像の内容をある程度把握できることが多い。そのため、顧客は、順次表示される画像の内容を確認することによって、その画像群に含まれる複数の画像に対する注文情報の入力を一括で行うことができる。従って、顧客は、互いに類似した一群の画像に対する注文情報の入力を短時間で行うことができる。そのため、プリント注文の受付に要する時間を短縮することができ、一人の顧客が受付装置を占有する時間が短くなる。また、受付装置の時間効率を向上させることができる。
【００１６】
本発明のプリント注文受付装置において、前記画像認識手段によって行われた画像認識処理の結果を用いて、前記読み出し部によって読み出された画像データファイルに係る画像間の類似度を示す評価データを計算する評価データ計算手段をさらに備えており、前記判別手段は、前記読み出し部によって読み出された画像データファイルに係る画像のうち、前記評価データ計算手段によって計算された評価データが閾値以上である画像を互いに類似した一群の画像と判別してもよい。
【００１７】
この構成によると、互いに類似した一群の画像を容易に判別することができる。
【００１８】
本発明のプリント注文受付装置において、前記注文画面表示制御手段は、互いに類似した一群の画像毎の画像数をディスプレイに表示させてもよい。
【００１９】
この構成によると、互いに類似した一群の画像数がディスプレイに表示されるので、各画像群に含まれる画像数を容易に確認することができる。
【発明を実施するための最良の形態】
【００２０】
以下、本発明の好適な実施の形態について、図面を参照しつつ説明する。図１は、本発明の第１の実施の形態に係るプリント注文受付装置を含むデジタル画像処理システムの外観斜視図である。図２は、図１に示すデジタル画像処理システムの構成を示す図である。
【００２１】
〔デジタル画像処理システム〕
図１に示すデジタル画像処理システムは、複数のプリント注文受付装置Ｒ（以下、受付装置Ｒと略称する）と、銀塩式の印画紙１に画像データのプリントを行うデジタル型の写真処理装置Ｐと、これらの間で情報のアクセスを行う通信ネットワークＮ（図２参照）とを備えている。
【００２２】
デジタル画像処理システムは、写真店に設置されるのが一般的であり、このシステムでは、デジタルカメラで撮影された画像データを保存したスマートメディアＳＭ、コンパクトフラッシュ（登録商標）ＣＦ、メモリスティックＭＳ、ＰＣカードＰＣ−Ｃや、画像データを保存したＣＤ−ＲＯＭ、ＭＯ等の記録媒体（以下、これらをメディアＭと総称する）からの画像データに基づくプリント注文を受付装置Ｒで受付けることができる。
【００２３】
また、このシステムでは、この受付時に発行される受付証ｒｅ（図１５参照）を顧客が図１に示すサービスカウンターＣで写真店の担当者に提示することにより、その担当者が受付証ｒｅにプリントされた情報に基づき、完成した写真プリントを受付証ｒｅを提示した顧客に対して代金と引き換えに手渡す処理が行われる。
【００２４】
〔写真処理装置Ｐ〕
まず、写真処理装置Ｐの構成について、図１及び図２を参照して説明する。写真処理装置Ｐは、テーブル上に配置されたオペレート部Ｐｏと現像処理部Ｐｄとが一体化された装置本体と、この装置本体から分離した位置のスキャナユニットＰｓとを備えている。
【００２５】
オペレート部Ｐｏには、印画紙マガジン５からの印画紙１をプリントサイズに切断してデジタル型の露光ヘッド６に供給する露光系が内装されている。また、オペレート部Ｐｏは、ＣＤ−ＲＯＭまたはＤＶＤからの情報の読出し、及び、ＣＤ−Ｒに対する情報の書き込みを行うコンボドライブ１０と、スマートメディアＳＭ、コンパクトフラッシュ（登録商標）ＣＦ及びＭＯ等の各種メディアに対応した複数のマルチドライブ１１と、画像データや各種情報の表示を行うディスプレイ１２と、キーボード１３と、マウス１４と、マイクロプロセッサを有する制御部１５を備えている。
【００２６】
制御部１５は、汎用コンピュータを用いて構成されており、各種のソフトウエアの作動が可能になっている。制御部１５は、画像処理ソフトによって、スキャナユニットＰｓでデジタル信号化された画像データの補正や、必要な場合には画像データのトリミングを行い、この処理の結果を制御部１５の半導体メモリやハードディスクに保存し、印画紙１に対する画像データの露光時に露光ヘッド６に転送することができる。
【００２７】
また、現像処理部Ｐｄには、露光ヘッド６で露光された印画紙１の現像処理を行う現像処理槽７が内装されている。現像処理部Ｐｄでは、現像処理槽７で現像処理が行われた印画紙１が、乾燥された後で、現像処理部Ｐｄの上面の横送りコンベア８に送出される。そして、横送りコンベア８からの印画紙１が仕分けコンベア９に送出される。
【００２８】
スキャナユニットＰｓは、底部にキャスタを備えた筐体１７の上面に対して交換自在にフィルムキャリア１８を備えると共に、筐体内部に光学レンズやＣＣＤ等の光電変換素子を有する光電変換部（図示しない）を備えている。また、筐体内部に備えた光源から光ファイバーを介して送られる光線をフィルムキャリア１８の上面側に導くアーム１９を備えている。
【００２９】
そして、写真フィルム２のスキャニングを行う場合には、ネガティブフィルムまたはポジティブフィルムをフィルムキャリア１８にセットし、このフィルムキャリア１８で設定速度で移動させながらアーム１９の先端から下方に向けて照射する光線により、写真フィルム２の各コマの画像データを光電変換部でデジタル信号化し、ケーブル２０を介して制御部１５に転送し得るよう構成されている。
【００３０】
〔受付装置Ｒ〕
次に、受付装置Ｒの構成を図３を参照して説明する。受付装置Ｒは、図３に示すように、筐体２１の上面に配置され且つタッチパネル２２が形成された液晶型のディスプレイ２３と、筐体２１の前面に設けられた媒体ドライブとしての複数のメディアドライブ２４と、筐体２１の上面におけるディスプレイ２３より前面側に設けられ且つ受付証ｒｅを発行する熱転写式の受付証プリンタ２５と、筐体２１の内部に内蔵されたコントローラ２６とを備えている。なお、複数のメディアドライブ２４は、スマートメディアＳＭ、コンパクトフラッシュ（登録商標）ＣＦ、メモリスティックＭＳ、メディアＭのアタッチメントとして機能するＰＣカードＰＣ−Ｃ、ＣＤ−ＲＯＭ、ＭＯ等のそれぞれに対応している。
【００３１】
コントローラ２６は、メディアドライブ２４との情報のアクセス及びタッチパネル２２との情報のアクセスが可能であると共に、ディスプレイ２３に対する画像データの出力及び受付証プリンタ２５に対する情報の出力が可能である。また、コントローラ２６は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、画像データ記憶部８１と、パラメータ取得部８２と、閾値記憶部８３と、判別部８４と、決定部８５と、抽出部８６と、制御部８７とが形成されている（図４参照）。
【００３２】
次に、受付装置Ｒのコントローラ２６の構成について、図４を参照して説明する。図４は、受付装置のコントローラの構成を示すブロック図である。なお、図４では、１台の受付装置Ｒだけが図示されているが、その他の受付装置Ｒにおいても同様である。
【００３３】
画像データ記憶部８１は、メディアドライブ２４によって読み出された複数の画像データファイルを記憶する。
【００３４】
パラメータ取得部８２は、メディアドライブ２４によって読み出された画像データファイルに係る画像の撮影日時に関するパラメータを記録媒体又は画像データファイルから取得する。例えばEXIF形式（Exchangeable Image File Format）で画像が記録されている場合、各画像の撮影日時に関するパラメータは、各画像データファイル内にタグ情報として記録されているので、パラメータ取得部８２は、画像データファイルから画像の撮影日時に関するパラメータを取得する。一方、例えばDPOF形式（Digital Print Order Format）で画像が記録されている場合、各画像の撮影日時に関するパラメータは、画像データファイルとは別のファイル内に記憶されているので、パラメータ取得部８２は、記録媒体から画像の撮影日時に関するパラメータを取得する。
【００３５】
本実施の形態では、各画像の撮影日時に関するパラメータが、EXIF形式の場合はタグ情報として各画像データファイル内に、またDPOF形式の場合は各画像データと対応するように記録媒体内に記録されているものとする。
【００３６】
閾値記憶部８３は、メディアドライブ２４によって読み出された画像データファイルに係る画像の中から連続撮影された一群の画像（連続画像）を判別するために用いられる所定時間を記憶する。ここで、本実施の形態では、閾値記憶部８３は、所定時間として１秒が記憶されている。
【００３７】
判別部８４は、メディアドライブ２４によって読み出された画像データファイルに係る画像のうち、閾値記憶部８３に記憶された所定時間内の撮影日時を有する画像を連続画像と判別する。本実施の形態では、所定時間１秒内の撮影日時を有する複数の画像がある場合に、これらの画像が連続画像と判別される。
【００３８】
決定部８５は、判別部８４によって連続画像と判別された画像群毎に１つの代表画像を決定する。本実施の形態では、決定部８５は、連続画像の中で最も撮影日時の早い画像を代表画像に決定する。
【００３９】
抽出部８６は、メディアドライブ２４が読み出した画像データファイルの中から、連続画像に含まれる画像に関しては、決定部８５によって決定された代表画像に係る画像データファイルを抽出すると共に、連続画像に含まれない画像に関しては、全ての画像に係る画像データファイルを抽出する。
【００４０】
制御部８７は、ディスプレイ２３における表示を制御し、プリント注文が行われる際に種々の画面をディスプレイ２３に表示させる。ここで、連続画像がある場合には、制御部８７は、連続画像と判別された画像群に含まれる画像に関しては代表画像だけが表示される「プリント枚数設定画面」を表示させる。なお、メディアドライブ２４によって読み出された複数の画像データファイルに係る画像のなかに連続画像が含まれる場合の「プリント枚数設定画面」の表示方法は後で詳述する。
【００４１】
〔受付装置Ｒでの注文受付〕
次に、受付装置Ｒにおけるプリント注文の受付の手順について、図５〜図１５を参照して説明する。図５は、受付装置におけるプリント注文の受付の手順を示すフローチャートである。図６〜図１４は、注文受付の際に受付装置のディスプレイに表示される表示画面の一例を示す図である。図１５は、受付証の一例を示す図である。
【００４２】
受付装置Ｒでは、待機状態においては、図６に示すように、受付装置Ｒの機能や写真店のロゴマーク等を含む待機画面（初期画面）が表示される（ステップＳ１）。そして、顧客が画像のプリントの注文を行う場合には、ディスプレイ２３のタッチパネル２２に指を接触させることにより、図７に示す「サービス選択画面」が表示される（ステップＳ２）。この画面には、「サービスを選択してください」とのメッセージと共に、プリントの受付を行わせるプリント受付スイッチ部４５ａと、メディア保存の受付を行わせるメディア保存受付スイッチ部４５ｂとが表示され、顧客に選択を求める。なお、メディア保存受付スイッチ部４５ｂが操作された場合には、メディアＭに保存された画像データを、写真処理装置Ｐに転送して、写真処理装置ＰにおいてＣＤ−ＲやＭＯに保存する処理が行われるが、プリントを受付ける処理と基本的に同じ処理形態であるので、詳細な説明は省略する。
【００４３】
「サービス選択画面」が表示された状態で、プリント受付スイッチ部４５ａが操作された場合には、図８に示す「メディア選択画面」が表示される（ステップＳ３）。この「メディア選択画面」には、「メディアを選択してください」とのメッセージと共に、メディアを選択する複数のスイッチ部４７が表示され、顧客に選択を求める。この「サービス選択画面」の下側には処理を中止する中止ボタン４８と、前の処理に戻る戻るボタン４９とが表示され、これら中止ボタン４８と戻るボタン４９とは、後述する処理においても同じ位置に表示され、操作することにより同様に機能する。
【００４４】
そして、「メディア選択画面」が表示された状態で、顧客が使用するメディアに対応するスイッチ部４７が操作された場合には、図９に示す「メディアセット案内画面」が表示される（ステップＳ４）。この画面には、「メディアをセットしてＯＫボタンを押してください」とのメッセージと共に、対応するメディアをセットする際の具体的な画像が表示される。
【００４５】
「メディアセット案内画面」にしたがってメディアＭがセットされ、顧客がＯＫボタン５０を操作することで、セットされたメディアＭから画像データを読出した後（ステップＳ５）、図１０に示す「プリントサイズ選択画面」が表示される（ステップＳ６）。この画面には、「プリントサイズを選択してください」とのメッセージと共に、複数のプリントサイズに対応したサイズ指定スイッチ部５１が表示され、顧客に選択を求める。「プリントサイズ選択画面」のサイズ指定スイッチ部５１には、プリントサイズを示す「Ｌ版」や「２Ｌ版」の文字の他に、プリントサイズを示す数値、プリントの単価及びプリントの基本料金などが表示される。
【００４６】
そして、「プリントサイズ選択画面」が表示された状態で、いずれか１つのサイズ指定スイッチ部５１が操作された場合には、図１１に示す注文画面である「プリント枚数設定画面」が表示される（ステップＳ７）。この画面には、「プリント枚数を設定してください」とのメッセージと共に、メディアドライブ２４によって読み出された複数の画像データファイルに係る画像がサムネイル画像Ｓとして表示される。
【００４７】
注文画面である「プリント枚数設定画面」では、各サムネイル画像Ｓのフレーム５４の上段に画像データを特定するファイルの名称（ファイル番号）が表示され、フレーム５４の下段にはプリント枚数を示す数値を表示する枚数表示エリア５５が設けられている。また、このプリント枚数表示エリア５５を挟む位置にプリント枚数を１枚ずつ増加させる＋ボタン５６と、プリント枚数を１枚ずつ減少させる−ボタン５６とが表示されている。
【００４８】
また、この画面下端部近傍には、中止ボタン４８と、戻るボタン４９と、ＯＫボタン５０（複数の「プリント枚数設定画面」が表示される場合には、最終画面以外にはＯＫボタンの代わりに次へボタン５０が表示される）と、全てのプリント枚数を１枚ずつ増加させる全体＋ボタン５７と、全てのプリント枚数を１枚ずつ減少させる全体−ボタン５７とが表示されると共に、その中央位置に情報エリアＤＥが表示される。情報エリアＤＥには、選択されたプリントサイズの情報、設定されたプリントの合計枚数、プリントに要する合計金額、ページを示す数字が表示される。
【００４９】
「プリント枚数設定画面」が表示された状態で、全てのプリントすべき画像データの選択が終了し、ＯＫボタン５０が操作されると、図１２に示す「注文内容確認画面」が表示される（ステップＳ８）。この画面には「注文の内容を確認してください」とのメッセージと共に、顧客が受付装置Ｒから入力したプリントの詳細と金額とを一覧化した確認シート６５が表示される。そして、この表示内容に誤りがなければＯＫボタン５０を操作することで、オーダ情報と画像データとにＩＤ情報を付与した形態のフォルダが新たに生成され、これらの情報が写真処理装置Ｐに送信される。
【００５０】
「注文内容確認画面」が表示された状態で、ＯＫボタン５０が操作されると、図１３に示す「メディア抜取り案内画面」が表示される（ステップＳ９）。この画面には「メディアを抜取ってください」とのメッセージが表示され、この表示にしたがいメディアを抜取り、ＯＫボタン５０を操作することで、図１４に示す「受付証発行案内画面」が表示される（ステップＳ１０）。この画面には「受付証を発行中です、しばらくお待ちください」及び「受付証はカウンタに持参してください」のメッセージが表示され、所定の時間が経過すると受付証プリンタ２５で受付証ｒｅがプリントされて送出される（ステップＳ１１）。このように受付証ｒｅが発行されると、受付処理の全てが終了して待機画面に復帰する。
【００５１】
受付証ｒｅは、図１５に示すように、受付証本体と、お客様控えとが連なった形態となっており、お客様名、電話番号、受付ＩＤ、端末ＩＤ、受付日、注文番号等の他に注文の詳細を示す内容がプリントされている。なお、即日に写真のプリントを手渡せない場合には、受付証本体と、お客様控えとを切り離し、受付証本体をＤＰ店の控えとして残し、お客様控えを顧客に手渡す処理も可能にしている。
【００５２】
次に、「プリント枚数設定画面」の表示手順について、図１６〜図１９を参照しつつ具体例に基づいて説明する。図１６は、「プリント枚数設定画面」の表示手順を示すフローチャートである。図１７は、複数の画像の撮影日時を示す図である。図１８及び図１９は、注文受付の際に受付装置のディスプレイに表示される表示画面の一例を示す図である。
【００５３】
まず、メディアドライブ２４によって複数の画像データファイルが読み出され、それらの画像データファイルが画像データ記憶部８１に記憶される（ステップＳ１０１）。このとき、パラメータ取得部８２は、記録媒体または画像データファイルから各画像の撮影日時に関するパラメータを取得する（ステップＳ１０２）。ここでは、図１７に示すように、ファイル番号００１〜０１８の１８個の画像に係る画像データファイルが読み出されると共に、各画像の撮影日時に関するパラメータが取得された場合について説明する。
【００５４】
そして、パラメータ取得部８２によって取得されたパラメータに基づいて、所定時間である１秒内の撮影日時を有する複数の画像があるか否かが判断される（ステップＳ１０３）。ここで、所定時間内の撮影日時を有する複数の画像があると判断された場合には（Ｓ１０３：ＹＥＳ）、それらの画像が連続画像であると判別される（ステップＳ１０４）。
【００５５】
本実施の形態では、図１７に示すように、ファイル番号００１〜００５の５個の画像、ファイル番号００７〜００９の３個の画像、ファイル番号０１２〜０１６の５個の画像は、それぞれ同じ撮影日時を有しているので、これらの画像はそれぞれ１秒以内に連続撮影されたものである。従って、ファイル番号００１〜００５の５個の画像、ファイル番号００７〜００９の３個の画像、ファイル番号０１２〜０１６の５個の画像は、それぞれ連続画像である。
【００５６】
そして、連続画像毎に、各画像群に含まれる複数の画像の中で最も撮影日時の早い画像（最もファイル番号が小さい画像）が代表画像に決定される（ステップＳ１０５）。つまり、ファイル番号００１〜００５の５個の画像群の代表画像はファイル番号００１の画像になり、ファイル番号００７〜００９の３個の画像群の代表画像はファイル番号００７の画像になり、ファイル番号０１２〜０１６の５個の画像群の代表画像はファイル番号０１２の画像になる。
【００５７】
従って、抽出部８６では、各連続画像に含まれる複数の画像に関しては１つの代表画像に係る画像データファイルだけが抽出されると共に、各連続画像に含まれない画像に関しては全ての画像に係る画像データファイルが抽出される（ステップＳ１０６）。従って、抽出部８６では、ファイル番号００１、００６、００７、０１０、０１１、０１２、０１７、０１８の８個の画像に係る画像データファイルが抽出される。
【００５８】
このようにして抽出された画像データファイルに係る画像が含まれる「プリント枚数設定画面」がディスプレイ２３に表示される（ステップＳ１０７）。従って、メディアドライブ２４によって読み出された複数の画像の中に連続画像がある場合には、図１８に示すように、各連続画像に含まれる複数の画像に関しては代表画像だけが含まれると共に、各連続画像に含まれない複数の画像に関しては全ての画像が含まれる「プリント枚数設定画面」がディスプレイ２３に表示される。
【００５９】
ここで、図１８に示す「プリント枚数設定画面」を詳細に説明すると、ファイル番号００１の画像に対応したサムネイル画像のフレーム５４には、上述したように、枚数表示エリア５５が設けられており、それを挟む位置に＋ボタン５６及び−ボタン５６が表示されている。また、その下方には、そのサムネイル画像が連続画像の代表画像であることを示すと共に、その画像群に含まれる画像数を示す連続画像枚数表示エリア６０が設けられている。図１８では、ファイル番号００１の画像に対応したサムネイル画像のフレーム５４の連続画像枚数表示エリア６０には、ファイル番号００１〜００５の５個の画像が連続画像であるので、「連続画像  ５枚」と表示されている。
【００６０】
また、その下方には、連続画像に含まれる複数の画像のプリント枚数を一括で設定可能な一括ボタン６１と、連続画像に含まれる複数の画像のプリント枚数を個別に設定可能な個別ボタン６２とが設けられている。ここで、図１８では、一括ボタン６１が選択された状態（一括ボタン６１が太枠で囲まれている状態）が図示されており、＋ボタン５６及び−ボタン５６が操作されることによって、連続画像に含まれる各画像のプリント枚数は一括して設定可能である。従って、連続画像に含まれる各画像のプリント枚数が一括して設定される場合には（Ｓ１０８：ＹＥＳ）、図１８の「プリント枚数設定画面」において、各連続画像に含まれる各画像のプリント枚数が一括して設定されると共に、その他の画像のプリント枚数が設定される。
【００６１】
一方、連続画像に含まれる各画像のプリント枚数が一括して設定されない場合には（Ｓ１０８：ＮＯ）、図１８の「プリント枚数設定画面」において、個別ボタン６２が操作される。ここで、連続画像であるファイル番号００１〜００５の画像のプリント枚数を個別に設定する場合には、ファイル番号００１の画像に対応したサムネイル画像のフレーム５４内の個別ボタン６２が操作される。すると、図１９に示す「プリント枚数設定画面」がディスプレイ２３に表示される（ステップＳ１０９）。図１９の「プリント枚数設定画面」には、連続画像に含まれるファイル番号００１〜００５の画像がサムネイル画像として全て表示されており、各画像のプリント枚数が個別に設定可能である。そして、図１９の「プリント枚数設定画面」で各画像のプリント枚数の設定が完了し、戻るボタン４９が操作されると、図１８の「プリント枚数設定画面」に戻る。なお、連続画像であるファイル番号００７〜００９の画像または連続画像であるファイル番号０１２〜０１６の画像のプリント枚数を個別に設定する場合には、ファイル番号００７、０１２の画像に対応したサムネイル画像のフレーム５４内の個別ボタン６２が操作される。
【００６２】
また、ステップＳ１０３において、所定時間内の撮影日時を有する複数の画像がないと判断された場合には（Ｓ１０３：ＮＯ）、全ての画像がサムネイル画像として順次表示される。従って、ファイル番号００１〜００８の画像がサムネイル画像として表示された「プリント枚数設定画面」、ファイル番号００９〜０１６の画像がサムネイル画像として表示された「プリント枚数設定画面」、ファイル番号０１７、０１８の画像がサムネイル画像として表示された「プリント枚数設定画面」の順にディスプレイ２３に表示される。
【００６３】
そして、「プリント枚数設定画面」における各画像のプリント枚数の設定が完了すると（ステップＳ１１０）、「注文内容確認画面」がディスプレイ２３に表示される（ステップＳ１１１）。
【００６４】
以上説明したように、本実施の形態の受付装置Ｒでは、メディアドライブ２４によって読み出された複数の画像データファイルの中から、連続撮影された一群の画像が判別され、その画像群に含まれる画像に関しては１つの代表画像だけが表示される「プリント枚数設定画面」がディスプレイ２３に表示される。そのため、顧客は、代表画像の内容だけを確認することによって、その画像群に含まれる複数の画像に対する注文情報の入力を一括で行うことができる。従って、顧客は、連続画像に対する注文情報の入力を短時間で行うことができる。そのため、プリント注文の受付に要する時間を短縮することができ、一人の顧客が受付装置を占有する時間が短くなる。また、受付装置の時間効率を向上させることができる。
【００６５】
また、連続撮影された一群の画像数がディスプレイ２３に表示されるので、各画像群に含まれる画像数を容易に確認することができる。
【００６６】
次に、本発明の第２の実施の形態に係る受付装置Ｒについて、図２０〜図２５を参照して説明する。図２０は、受付装置のコントローラの構成を示すブロック図である。
【００６７】
第２の実施の形態の受付装置Ｒが、第１の実施の形態の受付装置Ｒと異なる点は、第１の実施の形態の受付装置Ｒでは、記録媒体または画像データファイルから取得した画像の撮影日時に関するパラメータを用いて判別された連続撮影された一群の画像がまとめて表示されるのに対し、第２の実施の形態の受付装置Ｒでは、画像認識処理の結果を用いて判別された互いに類似した一群の画像がまとめて表示される点である。なお、第２の実施の形態の受付装置Ｒのその他の構成は、第１の実施の形態の受付装置Ｒと同様であるので、同一符号を付けて詳細な説明は省略する。
【００６８】
コントローラ１２６には、画像データ記憶部１８１と、画像認識部１８２と、評価データ計算部１８３と、閾値記憶部１８４と、判別部１８５と、抽出部１８６と、制御部１８７とが形成されている。
【００６９】
画像データ記憶部１８１は、メディアドライブ２４によって読み出された複数の画像データファイルを記憶する。
【００７０】
画像認識部１８２は、画像データ記憶部１８１に記憶された画像データファイルに対して画像認識処理を行うことによって、各画像データファイルに係る画像の内容を認識することができる。本実施の形態では、画像認識部１８２は、各画像について、画像データとその度数との関係を示すヒストグラムを作成する。ここで、図２１は、各画像のヒストグラムの一例を示している。画像認識部１８２では、横軸にＲ、ＧまたはＢの画像データをとり、縦軸に各画像データの度数をとったときの度数分布がＲＧＢごとに作成される。
【００７１】
評価データ計算部１８３は、画像認識部１８２により作成された各ヒストグラムに基づいて、互いに類似した画像を判別するための評価データをＲＧＢ毎に計算する。本実施の形態では、評価データ計算部１８３は、メディアドライブ２４によって読み出された複数の画像が撮影順に並べられた場合に、連続する２つの画像毎に類似しているか否かを判別するための評価データを計算する。
【００７２】
ここで、評価データとは、例えばＳＮ比（Signal-to-Noise ratio ）のことである。ＳＮ比は、一般的には、分析目的に由来する信号（応答値）Ｓと、それ以外の要因に基づく信号（通常はノイズ）Ｎとの強度比Ｓ／Ｎを指すが、ここでは、品質工学の分野で用いるＳＮ比の概念を指している。すなわち、品質工学におけるＳＮ比とは、目標に対して対象がどれだけばらついているかを示し、ＳＮ比の値が大きいほど、ばらつきが少ないことを示す。このような品質工学におけるＳＮ比の概念を本実施形態に導入した場合、ＳＮ比は、一方のデータ（画像）に対する他方のデータ（画像）のばらつき、つまり、一方のデータに他方のデータがどれだけ近いかを示すことになり、ＳＮ比の値が大きいほど、上記両データ（画像）は類似していることになる。
【００７３】
本実施形態において扱うＳＮ比は、具体的には、以下の式のη（ｄｂ）で示される。本実施の形態では、８ビットの画像データを用いてＳＮ比を求めるため、ｎ＝２５５である。
【００７４】
【数１】
2006301342.tif 000003
【００７５】
閾値記憶部１８４は、２つの画像が互いに類似した画像か否かを判別する際に用いられる評価データの閾値をＲＧＢ毎に記憶する。本実施の形態では、閾値記憶部１８４は、ＳＮ比の閾値をＲＧＢ毎に記憶する。
【００７６】
判別部１８５は、評価データ計算部１８３で計算されたＲＧＢ毎のＳＮ比の値と、閾値記憶部１８４に記憶されたＲＧＢ毎の閾値とを比較することによって、メディアドライブ２４によって読み出された複数の画像の中から互いに類似した一群の画像（類似画像）を判別する。本実施の形態では、判別部１８５は、メディアドライブ２４によって読み出された複数の画像が撮影順に並べられた場合に、連続する２つの画像毎に類似しているか否かを順に判断することにより、類似画像を判別する。ここで、判別部１８５は、ＲＧＢ毎の各ＳＮ比の値が全て閾値よりも大きい場合に、２つの画像は類似していると判断する。
【００７７】
抽出部１８６は、メディアドライブ２４が読み出した画像データファイルの中から、判別部１８５によって類似画像と判別された画像に係る画像データファイルを抽出すると共に、それとは別に、類似画像に含まれない画像に関しては、全ての画像に係る画像データファイルを抽出する。
【００７８】
制御部１８７は、ディスプレイ２３における表示を制御し、プリント注文が行われる際に種々の画面をディスプレイ２３に表示させる。ここで、類似画像がある場合には、制御部１８７は、類似画像と判別された画像群に含まれる画像に関しては、各画像群毎に、類似画像が同じ領域内に順次表示されると共に、類似画像以外の画像が表示される「プリント枚数設定画面」を表示させる。
【００７９】
次に、「プリント枚数設定画面」の表示手順について、図２２〜図２５を参照しつつ具体例に基づいて説明する。図２２は、「プリント枚数設定画面」の表示手順を示すフローチャートである。図２３は、複数の画像の内容を示す図である。図２４は、注文受付の際に受付装置のディスプレイに表示される表示画面の一例を示す図である。図２５は、互いに類似した一群の画像の表示順序を示す図である。
【００８０】
まず、メディアドライブ２４によって複数の画像データファイルが読み出され、それらの画像データファイルが画像データ記憶部１８１に記憶される（ステップＳ２０１）。ここでは、図２３に示すように、ファイル番号０３１〜０４８の１８個の画像に係る画像データファイルが読み出された場合について説明する。
【００８１】
そして、画像認識部１８２は、メディアドライブ２４によって読み出された複数の画像データファイルに対する画像認識処理を行うことによって、ＲＧＢ別のヒストグラムを作成する（ステップＳ２０２）。その後、画像認識部１８２により作成された各ヒストグラムに基づいて、互いに類似した画像を判別するためのＳＮ比がＲＧＢ毎に計算される（ステップＳ２０３）。ここで、ＳＮ比は、メディアドライブ２４によって読み取られた複数の画像が撮影順に並べられた場合に、連続する２つの画像毎に計算される。
【００８２】
本実施の形態では、図２３に示すように、メディアドライブ２４によって読み取られた複数の画像が撮影順に並べられると、ファイル番号０３１〜０４８の順に並べられる。そのため、まず、ファイル番号０３１の画像とファイル番号０３２の画像とが互いに類似しているかを判断するためのＳＮ比が計算される。次に、ファイル番号０３２の画像とファイル番号０３３の画像とが互いに類似しているかを判断するためのＳＮ比が計算される。その後、同様に、連続する２つの画像が互いに類似しているかを判断するためのＳＮ比が計算される。
【００８３】
そして、上述で計算された各ＳＮ比と閾値とがそれぞれ比較され、連続する２つの画像毎に類似しているか否かが順に判断されることによって、類似画像が判別される（ステップＳ２０４）。ここでは、ファイル番号０３２〜０３９の８個の画像において、連続する２つの画像に対応したＲＧＢ毎の各ＳＮ比の値が全て閾値よりも大きくなり、これらの８個の画像は類似していると判断される。また、ファイル番号０４３〜０４８の６個の画像についても同様である。
【００８４】
従って、抽出部１８６では、各類似画像に含まれる複数の画像に関しては全ての画像に係る画像データファイルが抽出されると共に、それとは別に、各類似画像に含まれない画像に関しては全ての画像に係る画像データファイルが抽出される（ステップＳ２０５）。つまり、抽出部１８６では、類似画像として、ファイル番号０３２〜０３９の８個の画像に係る画像データファイル及びファイル番号０４３〜０４８の６個の画像に係る画像データファイルが抽出される。また、抽出部１８６では、類似画像以外の画像として、ファイル番号０３１、０４０、０４１、０４２の４個の画像に係る画像データファイルが抽出される。
【００８５】
このようにして抽出された画像データファイルに係る画像が含まれる「プリント枚数設定画面」がディスプレイ２３に表示される（ステップＳ２０６）。従って、メディアドライブ２４によって読み出された複数の画像の中に類似画像がある場合には、図２４に示すように、各類似画像に含まれる複数の画像に関しては、同じフレーム内に順次表示されると共に、各類似画像に含まれない複数の画像に関しては全ての画像が含まれる「プリント枚数設定画面」がディスプレイ２３に表示される。
【００８６】
つまり、図２４の領域Ａには、互いに類似した画像であるファイル番号０３２〜０３９の８個の画像が、図２５（ａ）に示す順に表示される。また、図２４の領域Ｂには、互いに類似した画像であるファイル番号０４３〜０４８の６個の画像が、図２５（ｂ）に示す順に表示される。従って、図２４の「プリント枚数設定画面」では、ファイル番号０３１、０４０、０４１、０４２の画像は常に表示されているのに対し、領域Ａ、Ｂでは画像が順次変化するので動画のように見える。
【００８７】
そして、類似画像に含まれる各画像のプリント枚数が一括して設定される場合には（Ｓ２０７：ＹＥＳ）、図２４の「プリント枚数設定画面」において、各類似画像に含まれる各画像のプリント枚数が一括して設定されると共に、その他の画像のプリント枚数が設定される。
【００８８】
一方、類似画像に含まれる各画像のプリント枚数が一括して設定されない場合には（Ｓ２０７：ＮＯ）、図２４の「プリント枚数設定画面」において、個別ボタン６２が操作される。すると、類似画像に含まれる画像がサムネイル画像として全て表示された「プリント枚数設定画面」（図１９参照）に切り換わり、類似画像に含まれる各画像のプリント枚数が個別に設定される。そして、類似画像に含まれる各画像のプリント枚数の設定が完了し、戻るボタン４９が操作されると、図２４の「プリント枚数設定画面」に戻る。
【００８９】
そして、「プリント枚数設定画面」における各画像のプリント枚数の設定が完了すると（ステップＳ２０９）、「注文内容確認画面」がディスプレイ２３に表示される（ステップＳ２１０）。
【００９０】
以上説明したように、本実施の形態の受付装置Ｒでは、メディアドライブ２４によって読み出された複数の画像データファイルの中から、互いに類似した一群の画像が判別され、その画像群に含まれる画像が同じ領域内に順次表示される「注文内容確認画面」がディスプレイ２３に表示される。そのため、顧客は、順次表示される画像の内容を確認することによって、その画像群に含まれる複数の画像に対する注文情報の入力を一括で行うことができる。従って、顧客は、互いに類似した一群の画像に対する注文情報の入力を短時間で行うことができる。そのため、プリント注文の受付に要する時間を短縮することができ、一人の顧客が受付装置を占有する時間が短くなる。また、受付装置の時間効率を向上させることができる。
【００９１】
また、判別部１８５では、評価データ計算部１８３で計算されたＲＧＢ毎のＳＮ比の値と、閾値記憶部１８４に記憶されたＲＧＢ毎の閾値とを比較することによって、互いに類似した一群の画像を容易に判別することができる。
【００９２】
また、互いに類似した一群の画像数がディスプレイ２３に表示されるので、各画像群に含まれる画像数を容易に確認することができる。
【００９３】
以上、本発明の好適な実施の形態について説明したが、本発明は上述の実施の形態に限られるものではなく、特許請求の範囲に記載した限りにおいて様々な設計変更が可能なものである。例えば、上述の第１の実施の形態では、連続撮影された一群の画像に関しては、その代表画像だけが表示されているが、その画像群に含まれる複数の画像が同じ領域内に順次表示されてもよい。また、上述の第２の実施の形態では、互いに類似した一群の画像に関しては、その画像群に含まれる複数の画像が同じ領域内に順次表示されているが、その代表画像だけが表示されてもよい。
【００９４】
また、上述の第２の実施の形態では、ＲＧＢ毎のＳＮ比の値と、ＲＧＢ毎の閾値とを比較することによって、互いに類似した一群の画像が判別されているが、互いに類似した一群の画像の判別方法は変更することができる。
【００９５】
また、上述の第１及び第２の実施の形態では、連続撮影された一群の画像または互いに類似した一群の画像の画像数がディスプレイに表示されるが、これらの画像数は表示されなくてもよい。
【図面の簡単な説明】
【００９６】
【図１】本発明の第１の実施の形態に係るプリント注文受付装置を含むデジタル画像処理システムの外観斜視図である。
【図２】図１に示すデジタル画像処理システムの構成を示す図である。
【図３】図１に示す受付装置の構成を示す図である。
【図４】受付装置のコントローラの構成を示すブロック図である。
【図５】受付装置におけるプリント注文の受付の手順を示すフローチャートである。
【図６】注文受付の際に受付装置のディスプレイに表示される表示画面の一例を示す図である。
【図７】注文受付の際に受付装置のディスプレイに表示される表示画面の一例を示す図である。
【図８】注文受付の際に受付装置のディスプレイに表示される表示画面の一例を示す図である。
【図９】注文受付の際に受付装置のディスプレイに表示される表示画面の一例を示す図である。
【図１０】注文受付の際に受付装置のディスプレイに表示される表示画面の一例を示す図である。
【図１１】注文受付の際に受付装置のディスプレイに表示される表示画面の一例を示す図である。
【図１２】注文受付の際に受付装置のディスプレイに表示される表示画面の一例を示す図である。
【図１３】注文受付の際に受付装置のディスプレイに表示される表示画面の一例を示す図である。
【図１４】注文受付の際に受付装置のディスプレイに表示される表示画面の一例を示す図である。
【図１５】受付証の一例を示す図である。
【図１６】「プリント枚数設定画面」の表示手順を示すフローチャートである。
【図１７】複数の画像の撮影日時を示す図である。
【図１８】注文受付の際に受付装置のディスプレイに表示される表示画面の一例を示す図である。
【図１９】注文受付の際に受付装置のディスプレイに表示される表示画面の一例を示す図である。
【図２０】本発明の第２の実施の形態に係るプリント注文受付装置のコントローラの構成を示すブロック図である。
【図２１】各画像のヒストグラムの一例を示す図である。
【図２２】「プリント枚数設定画面」の表示手順を示すフローチャートである。
【図２３】複数の画像の内容を示す図である。
【図２４】注文受付の際に受付装置のディスプレイに表示される表示画面の一例を示す図である。
【図２５】互いに類似した一群の画像の表示順序を示す図である。
【符号の説明】
【００９７】
Ｒ  プリント注文受付装置
Ｐ  写真処理装置
２２  タッチパネル
２３  ディスプレイ
２４  メディアドライブ（読み出し部）
８１、１８１  画像データ記憶部
８２  パラメータ取得部（パラメータ取得手段）
８３、１８４  閾値記憶部
８４、１８５  判別部（判別手段）
８５  決定部
８６、１８６  抽出部
８７、１８７  制御部（注文画面表示制御手段）
１８２  画像認識部（画像認識手段）
１８３  評価データ計算部（評価データ計算手段）
【図１】
2006301342.tif 000004
【図２】
2006301342.tif 000005
【図３】
2006301342.tif 000006
【図４】
2006301342.tif 000007
【図５】
2006301342.tif 000008
【図６】
2006301342.tif 000009
【図７】
2006301342.tif 000010
【図８】
2006301342.tif 000011
【図９】
2006301342.tif 000012
【図１０】
2006301342.tif 000013
【図１１】
2006301342.tif 000014
【図１２】
2006301342.tif 000015
【図１３】
2006301342.tif 000016
【図１４】
2006301342.tif 000017
【図１５】
2006301342.tif 000018
【図１６】
2006301342.tif 000019
【図１７】
2006301342.tif 000020
【図１８】
2006301342.tif 000021
【図１９】
2006301342.tif 000022
【図２０】
2006301342.tif 000023
【図２１】
2006301342.tif 000024
【図２２】
2006301342.tif 000025
【図２３】
2006301342.tif 000026
【図２４】
2006301342.tif 000027
【図２５】
2006301342.tif 000028